(57)【要約】【課題】自動水栓装置において、排水具の反射光に起因する誤検知を抑制すること。【解決手段】吐水部と、ボウル部と、ボウル部内の水を排水する排水口に設けられる排水具と、ボウル部に向けて投光し、投光した光の反射光に基づいて被検知体を検知するためのセンサ部と、センサ部から出力された検知信号に基づいて吐水口から吐水される吐水流の吐止水を制御する制御部と、を備えた自動水栓装置において、吐水部は、ボウル部の外側であって、ボウル部から離隔した位置に設けられ、センサ部の投光方向の延長上には、排水具が位置し、排水具表面の光の反射率が、ボウル部表面の光の反射率以下となるように構成されていることを特徴とする。【選択図】図２
2019152012.tif 000002
【特許請求の範囲】
【請求項１】
吐水口を有する吐水部と、
前記吐水口から吐水される吐水流を受けるボウル部と、
前記ボウル部内の水を排水する排水口に設けられる排水具と、
前記吐水部に設けられるとともに、前記ボウル部に向けて投光し、投光した光の反射光に基づいて被検知体を検知するためのセンサ部と、
前記センサ部から出力された検知信号に基づいて前記吐水口からの吐止水を制御する制御部と、
を備えた自動水栓装置において、
前記吐水部は、前記ボウル部の外側であって、前記ボウル部から離隔した位置に設けられ、
前記センサ部の投光方向の延長上には、前記排水具が位置し、
前記排水具表面の光の反射率が、前記ボウル部表面の光の反射率以下となるように構成されていることを特徴とする
自動水栓装置。
【請求項２】
前記排水具表面には、前記ボウル部表面の凹凸よりも大きい凹凸が形成されていることを特徴とする
請求項１に記載の自動水栓装置。
【請求項３】
前記排水具表面の色は、前記ボウル部表面の色よりも低い反射率の色で構成されていることを特徴とする
請求項１または請求項２に記載の自動水栓装置。
【発明の詳細な説明】
【技術分野】
【０００１】
本発明は、自動水栓装置に関する。
【背景技術】
【０００２】
従来から、例えば赤外線センサなどの光電センサによって、被検知体（例えば、使用者の手等）を検知して吐止水を自動的に行う自動水栓装置が知られている（例えば、特許文献１参照）。
【０００３】
このような従来の自動水栓装置においては、自動水栓装置の吐水口近傍に光電センサが設けられている。光電センサは、吐水口付近に近づけられた使用者の手を検知するために、自動水栓装置の先端からボウル部に向かって下方ないし斜め下方にセンサの光を照射する。
また、ボウル部の底面には、ボウル部内の水を排水するための排水口が開口しており、この排水口には、排水口の内周を覆う排水栓や排水口を上方から覆う目皿等といった排水具が設けられる。このような排水具は、例えば金属によって構成される。
【先行技術文献】
【特許文献】
【０００４】
【特許文献１】特開２００３−４７５６５号公報
【発明の概要】
【発明が解決しようとする課題】
【０００５】
ここで、近年、自動水栓装置において、デザイン性を向上させるために、ボウル部の外側であってボウル部から離隔した位置に吐水部を設けるものがある。このような自動水栓装置においては、ボウル部と吐水部とが離隔しているため、ボウル部と吐水部のレイアウトを自由に変えることができる。
【０００６】
このような自動水栓装置においては、吐水部とボウル部を自由に設置することができるため、光電センサの投光方向の延長上に排水栓や目皿等の排水具が位置することも考えられる。しかしながら、光電センサの投光方向の延長上に排水栓や目皿等の排水具が位置する場合、光電センサから投光された光が排水具に反射し、その反射光を光電センサが受光すると、誤検知してしまうおそれがある。特に、金属の場合は光の反射率が高いため、排水具が金属で構成される場合は誤検知が発生する可能性が高い。
【０００７】
本発明は、このような課題を解決するためになされたものであり、排水具の反射光に起因する誤検知を抑制する自動水栓装置を提供することを目的とする。
【課題を解決するための手段】
【０００８】
上記目的を達成するために、本発明の一態様に係る自動水栓装置によれば、吐水口を有する吐水部と、前記吐水口から吐水される吐水流を受けるボウル部と、前記ボウル部内の水を排水する排水口に設けられる排水具と、前記吐水部に設けられるとともに、前記ボウル部に向けて投光し、投光した光の反射光に基づいて被検知体を検知するためのセンサ部と、前記センサ部から出力された検知信号に基づいて前記吐水口から吐水される吐水流の吐止水を制御する制御部と、を備えた自動水栓装置において、前記吐水部は、前記ボウル部の外側であって、前記ボウル部から離隔した位置に設けられ、前記センサ部の投光方向の延長上には、前記排水具が位置し、前記排水具表面の光の反射率が、前記ボウル部表面の光の反射率以下となるように構成されていることを特徴とする。
【０００９】
この構成によれば、排水具表面の光の反射率が、ボウル部表面の光の反射率以下になるように構成されているため、センサ部から投光されて排水具に反射された光をセンサ部が受光してしまうことを抑制することができる。これにより、排水具の反射光に起因する誤検知を抑制することができる。
【００１０】
また、本発明の一態様に係る自動水栓装置において、好ましくは、前記排水具表面には、前記ボウル部表面の凹凸よりも大きい凹凸が形成されていることを特徴とする。
【００１１】
この構成によれば、排水具表面には凹凸が形成されているため、センサ部から投光した光が排水具に当ると、凹凸によって光が散乱する。そのため、排水具の表面が平滑な場合に比べて、センサ部から投光されて排水具に反射された光をセンサ部が受光してしまうことをより抑制することができる。
【００１２】
また、本発明の一態様に係る自動水栓装置において、好ましくは、前記排水具表面の色は、前記ボウル部表面の色よりも低い反射率の色で構成されていることを特徴とする。
【００１３】
この構成によれば、排水具表面の色が、ボウル部表面の色よりも低い反射率の色で構成されているため、センサ部から投光した光が排水具に当って反射されることが抑制される。そのため、より簡便な構成で、センサ部から投光されて排水具に反射された光をセンサ部が受光してしまうことを抑制することができる。
【発明の効果】
【００１４】
本発明によれば、自動水栓装置において、排水具の反射光に起因する誤検知を抑制することができる。
【図面の簡単な説明】
【００１５】
【図１】本発明の一実施形態に係る自動水栓装置の斜視図である。
【図２】本発明の一実施形態に係る自動水栓装置の側面断面図である。
【図３】本発明の一実施形態に係る自動水栓装置の構成を示すブロック図である。
【図４】本発明の一実施形態に係る自動水栓装置の目皿の斜視図である。
【発明を実施するための形態】
【００１６】
以下、本発明の実施の形態について添付図面を参照しながら説明する。なお、各図面中、同様の構成要素には同一の符号を付して詳細な説明は適宜省略する。
【００１７】
図１〜図４を参照して、本発明の一実施形態に係る自動水栓装置の構成について説明する。
【００１８】
図１は、本発明の一実施形態に係る自動水栓装置の斜視図である。図２は、本発明の一実施形態に係る自動水栓装置の側面断面図である。図３は、本発明の一実施形態に係る自動水栓装置の構成を示すブロック図である。図４は、本発明の一実施形態に係る自動水栓装置の目皿の斜視図である。
【００１９】
図１及び図２に示すように、自動水栓装置１は、吐水部１０と、ボウル部２０と、センサ部３０と、制御部４０とを備えている。
【００２０】
吐水部１０は、下方に向けて水を吐出するための部材であり、吐水部１０から吐水される吐水流を受けるボウル部２０の外側であってボウル部２０から離隔した位置に設けられる。また、吐水部１０の設置面は、ボウル部２０の上縁よりも下方に位置している。吐水部１０はこの設置面から上方に向けて立ち上がるように配置されている。吐水部１０の内部には、給水源から供給される水が通る給水路１１が形成されており、その下流側端部には、水の出口である吐水口１２が開口している。この給水路１１には、図示しない給水管が接続されており、給水管から吐水部１０の給水路１１に水が供給される。給水管から給水路１１に供給された水は、吐水部１０の内部の流路を通って吐水口１２からボウル部２０へ吐出される。
【００２１】
吐水部１０の内部には、センサ部３０が設けられており、センサ部３０の検知結果に基づいて、給水路１１の流路途中に設けられた電磁弁５０の開閉が制御される。
具体的には、図３に示すように、センサ部３０は、ボウル部２０に向けて光を投光する投光部３１と、投光部３１から投光される光の反射光を受光する受光部３２と、を有している。投光部３１は制御部４０からの投光信号に基づいて光を投光し、受光部３２は投光部３１から投光される光の反射光に基づいて検知信号を生成し、制御部４０へ送信する。制御部４０はセンサ部３０から出力された検知信号から被検知体（例えば人体の手等）を検出したか否かを判定し、その判定結果に基づいて、電磁弁５０を開または閉制御し、吐水口１２からの吐止水を制御する。
【００２２】
図２にもどって、ボウル部２０は、陶器によって形成されており、上方から下方に向かって凹む凹形状を有している。また、ボウル部２０は、吐水部１０と離隔した位置であって、吐水部１０が設置される設置面としてのカウンターＣ上に載置される。このボウル部２０内の底面には、ボウル部２０内の水を排出する排水口２１が開口している。
【００２３】
また、排水口２１には、排水具６０が設けられている。排水具６０は、排水口２１の周縁を覆うように設けられる排水栓６１と、排水栓６１の上方に設けられる目皿６２と、を有している。目皿６２は、排水栓６１及び排水口２１を上方から覆うように設けられる。換言すると、使用者が上方からボウル部２０を覗きこんだとき、排水栓６１及び排水口２１が目皿６２によって隠蔽されるようになっている。さらに、センサ部３０の投光部３１から投光される光の方向（以下、投光方向Ａ）の延長上には、排水具６０の排水栓６１及び目皿６２が位置している。
【００２４】
ここで、センサ部３０の投光方向Ａの延長上に排水具６０が設けられる場合、センサ部３０から投光された光が排水栓６１や目皿６２に反射し、その反射光をセンサ部３０の受光部３２が受光してしまうと誤検知してしまうおそれがある。特に、排水具６０の表面が金属で構成される場合、光の反射率が高いため、誤検知が発生する可能性が高くなる。
なお、ボウル部２０表面の反射については制御部４０が判断するための判定閾値の変更などによって反射光による誤検知が発生しないように予め設定しておくことができる。
【００２５】
一方で、本発明の一実施形態における自動水栓装置１においては、排水具６０表面の光の反射率が、ボウル部２０表面の光の反射率以下となるように構成されている。換言すると、排水具６０の光の反射率が、光の反射率以下となるように構成されている。具体的には、図４に示すように、排水具６０の目皿６２表面には、ボウル部２０表面の凹凸よりも大きい凹凸が形成されている。
なお、目皿６２の表面に凹凸形状が形成されている例を説明したが、排水栓６１表面に、ボウル部２０表面よりも大きい凹凸が形成されていてもよい。
また、なお、排水栓６１の上方に目皿６２が設けられる場合は、目皿６２によって排水栓６１が隠蔽されるため、目皿６２のみがボウル部２０表面の光の反射率以下となるように構成されていてもよい。
【００２６】
このように、排水具６０表面の光の反射率が、ボウル部２０表面の光の反射率以下になるように構成されているため、センサ部３０から投光されて排水具６０に反射された光をセンサ部３０が受光したとしても、排水具６０の反射光に起因する誤検知を抑制することができる。
【００２７】
詳しくは、排水具６０の目皿６２表面には凹凸が形成されているため、センサ部３０から投光した光が目皿６２に当ると、凹凸によって光が散乱する。そのため、目皿６２の表面が平滑な場合に比べて、センサ部３０から投光されて排水具６０に反射された光をセンサ部３０が受光してしまうことをより抑制することができる。
【００２８】
つぎに、本発明の変形例に係る自動水栓装置について説明する。
なお、前述した実施形態と同様の部分については、同一の符号を付し、説明は省略する。
【００２９】
変形例に係る自動水栓装置１において、排水具６０表面の色は、ボウル部２０表面の色よりも低い反射率の色で構成されている。
このように、排水具６０表面の色が、ボウル部２０表面の色よりも低い反射率の色で構成されているため、センサ部３０から投光した光が排水具６０に当って反射されることが抑制される。そのため、より簡便な構成で、センサ部３０から投光されて排水具６０に反射された光をセンサ部３０が受光したとしても、排水具６０の反射光に起因する誤検知を抑制することができる。
【００３０】
以上、本発明の実施の形態について説明したが、本発明はこれらの記述に限定されるものではない。前述の実施の形態に関して、当業者が適宜設計変更を加えたものも、本発明の特徴を備えている限り、本発明の範囲に包含される。例えば、操作入力装置が備える各要素の形状、寸法、材質、配置、設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【００３１】
例えば、排水具６０表面に凹凸形状を設けるとともに、排水具６０表面の色を、ボウル部２０表面の色よりも低い反射率の色で構成するようにしてもよい。
【００３２】
また、例えば、排水具６０表面の光の反射率が、ボウル部２０表面の光の反射率以下となるように、排水具６０表面の材質を変更するように構成されていてもよい。
【符号の説明】
【００３３】
１    自動水栓装置
１０    吐水部
１１    給水路
１２    吐水口
２０    ボウル部
２１    排水口
３０    センサ部
３１    投光部
３２    受光部
４０    制御部
５０    電磁弁
６０    排水具
６１    排水栓
６２    目皿
Ａ    投光方向
Ｃ    カウンター
【図１】
2019152012.tif 000003
【図２】
2019152012.tif 000004
【図３】
2019152012.tif 000005
【図４】
2019152012.tif 000006